(57)【要約】【課題】  使用環境によって器具寿命が影響を受けず、点灯装置の施工を簡単にでき、点灯装置自体の防水構造を必要とせず、器具本体を小形化でき、かつ低コストが可能となる照明器具を提供する。【解決手段】  器具本体１が透光部２のある外殻１ａ内を密閉空間７とし、密閉空間７を所定の高輝度放電灯およびそのランプソケット並びに所定の反射鏡が収納される大きさとしている。小形高輝度放電灯９は、器具本体１内に収納されて所定の高輝度放電灯に対して同等の効率を有するが小形である。インバータ１２は小形高輝度放電灯９とそのランプソケット１０と小形反射鏡１１とを器具本体１内に収納した状態で形成される密閉空間７の残りの空間に配置されている。【選択図】        図１
2006236662.tif 000002
【特許請求の範囲】
【請求項１】
透光部のある外殻内を密閉空間とし、前記密閉空間を所定の高輝度放電灯およびそのランプソケット並びに所定の反射鏡が収納される大きさとした器具本体と、前記器具本体内に収納されて前記所定の高輝度放電灯に対して同等の効率を有しかつ小形である小形高輝度放電灯およびそのランプソケットと、前記器具本体内に収納され前記小形高輝度放電灯のまわりを覆って光を所定の方向に反射するとともに前記所定の反射鏡よりも小さい小形反射鏡と、前記ランプソケットに給電して前記小形高輝度放電灯を点灯する点灯装置とを備え、前記点灯装置は、前記小形高輝度放電灯とそのランプソケットと前記小形反射鏡とを前記器具本体内に収納した状態で形成される前記密閉空間の残りの空間に配置されている照明器具。
【請求項２】
前記小形高輝度放電灯を装着するランプソケットと前記点灯装置は部品ユニットに一体に組み合わされている請求項１記載の照明器具。
【請求項３】
前記部品ユニットは、放熱部材により前記ランプソケットと前記点灯装置とを所定の間隔をおいて一体に連結してなり、前記ランプソケットが前記小形反射鏡に近づけて配置され前記点灯装置が前記反射鏡から離れて配置される請求項２記載の照明器具。
【請求項４】
請求項１記載の照明器具に適用される部品ユニットであって、前記小形高輝度放電灯を装着するランプソケットと前記点灯装置とを備えた部品ユニット。
【発明の詳細な説明】
【技術分野】
【０００１】
この発明は、屋外用照明器具などに適用される照明器具に関するものである。
【背景技術】
【０００２】
従来例（例えば特許文献１参照）として、グローブの付いた器具本体５０内を密閉しその密閉空間に反射板、ランプ、ランプソケット、および点灯装置を内蔵した道路灯があった。しかし、器具本体が大型化した。
【０００３】
これに対して、図４に示すように、点灯装置（図示せず）を器具本体５０の外側に配置し、器具本体５０内にはソケット台５１、ランプソケット５２、高輝度放電灯５３、および反射板５４を内蔵し、照明柱等に設置された屋外用照明器具があった。
【特許文献１】特開平８−７６３８号公報
【発明の開示】
【発明が解決しようとする課題】
【０００４】
図４に示す従来例によれば、器具本体を小形化できる。しかし、点灯装置は例えば照明柱の内部に設置されるが、防水のため点灯装置専用のボックスを設ける必要があった。また点灯装置が器具本体外にあるため施工が煩雑になり、しかも使用環境によって器具寿命が影響を受けやすかった。
【０００５】
したがって、この発明の目的は、点灯装置の施工を簡単にでき、点灯装置自体の防水構造を必要とせず、かつ低コストが可能となる照明器具を提供することである。
【課題を解決するための手段】
【０００６】
この発明の照明器具は、器具本体が透光部のある外殻内を密閉空間とし、前記密閉空間を所定の高輝度放電灯およびそのランプソケット並びに所定の反射鏡が収納される大きさとしている。小形高輝度放電灯は、前記器具本体内に収納されて前記所定の高輝度放電灯に対して同等の効率を有しかつ小形である。ランプソケットは小形高輝度放電灯を装着する。小形反射鏡は前記器具本体内に収納され前記小形高輝度放電灯のまわりを覆って光を所定の方向に反射するとともに前記所定の反射鏡よりも小さい。点灯装置は前記ランプソケットに給電して前記小形高輝度放電灯を点灯する。前記点灯装置は、前記小形高輝度放電灯とそのランプソケットと前記小形反射鏡とを前記器具本体内に収納した状態で形成される前記密閉空間の残りの空間に配置されている。
【０００７】
上記構成において、前記小形高輝度放電灯を装着するランプソケットと前記点灯装置は部品ユニットに一体に組み合わされている請求項１記載の照明器具。
【０００８】
上記構成において、前記部品ユニットは、放熱部材により前記ランプソケットと前記点灯装置とを所定の間隔をおいて一体に連結してなり、前記ランプソケットが前記小形反射鏡に近づけて配置され前記点灯装置が前記反射鏡から離れて配置される。
【０００９】
この発明の部品ユニットは、上記構成の照明器具に適用される部品ユニットであって、前記小形高輝度放電灯を装着するランプソケットと前記点灯装置とを備えている。
【発明の効果】
【００１０】
この発明の照明器具によれば、所定の高輝度放電灯などを収納する器具本体に小形高輝度放電灯などを収納し、器具本体の密閉空間を効果的に利用して、点灯装置の内蔵を可能にすることで、施工性・保守性を向上することができる。また器具本体が密閉空間であることにより、外部からの影響を受けないため、点灯装置の信頼性も向上する。また従来ほどの防水性等も要求されないことや、既存の器具本体を有効利用することができるので、低コストにすることができる。
【００１１】
部品ユニットは、放熱部材によりランプソケットと点灯装置とを所定の間隔をおいて一体に連結することにより、点灯装置とランプソケットの相互の熱影響を低減することができる。
【発明を実施するための最良の形態】
【００１２】
この発明の一実施の形態の屋外用照明器具を図１から図３により説明する。器具本体１は、図４に示す従来の器具本体（５０）を利用している。したがって、透光部２を有する外殻１ａ内は、発光管５３ａを有する所定の高輝度放電灯（５３）およびそのランプソケット（５２）並びに所定の反射鏡（５４）が収納される大きさをもつ密閉空間７である。この器具本体１はたとえはアルミ鋳物で構成されており、透光部２は器具本体１の下面開口を透光性部材例えば透過ガラス１９でパッキン２０を介して密閉することにより構成している。透過ガラス１９は複数の押さえ部２１でパッキン２０を介して押さえられ、押さえ部材２１は取付具例えばねじ２２で器具本体１に固定されている。器具本体１の上側開口は上蓋３で開閉自在にしている。上蓋３は蝶番４により回動自在に設けられ、蝶番４と反対側を留め具として例えばラッチ５で器具本体１に止められる。上蓋３が閉じた状態では上蓋３が器具本体１の上側開口に密着するように上蓋３と上側開口の縁部との間にパッキン６が介在されているため、器具本体１内は密閉空間７となる。器具本体１の蝶番４のある一端側に電柱取付部８を設けている。
【００１３】
上記した所定の高輝度放電灯（５３）は、例えば高圧ナトリウム灯（１８０Ｗ）であり、全長２４３ｍｍ、外管径φ５０ｍｍ、発光管長約８０ｍｍ、全光束２００００ｌｍ、口金Ｅ３９である。これに対応して所定の大きさのランプソケット（５２）および反射鏡（５４）が設けられている。
【００１４】
一方器具本体１内には、小形高輝度放電灯９、ランプソケット１０、小形反射鏡１１および小形高輝度放電灯９を点灯するための点灯装置であるインバータ１２が配置されている。
【００１５】
小形高輝度放電灯９は例えばセラミックメタルハライドランプ（１５０Ｗ）であり、全長１７７ｍｍ、外管径φ４０ｍｍ、発光管長約３５ｍｍ、全光束１８８００ｌｍ、口金Ｅ２６である。９ａは発光管である。小形高輝度放電灯９を装着するランプソケット１０も従来の高輝度放電灯（５３）のランプソケット（５２）よりも小さくなる。図３（ａ）は従来のランプソケットに従来の高輝度放電灯（５３）を装着した例、図３（ｂ）はこの発明の小形ランプソケット１０に小形高輝度放電灯９を装着した例である。この図からも明らかなように発光管９ａおよび外観ともに従来例の発光管５３ａよりも小形化されているうえ、効率も向上している。具体的には、高圧ナトリウム灯１８０Ｗが１１１ｌｍ／Ｗであるのに対して、セラミックメタルハライドランプ１５０Ｗは１２５ｌｍ／Ｗであり、両ランプは同等の効率を有する。
【００１６】
小形反射鏡１１は従来の反射鏡（５４）よりも当然小さくてよいものであり、小形高輝度放電灯９のまわりを覆って光を所定の方向とくに透過部２に向けて反射するもので、取付部材１３を介して取付具例えばねじ１４により上蓋３に取付けられている。
【００１７】
点灯装置であるインバータ１２は、小形高輝度放電灯９とそのランプソケット１０と小形反射鏡１１を器具本体１内に収納した状態で形成される密閉空間の残りの空間に配置されている。このインバータ１２と、小形高輝度放電灯９のランプソケット１０は放熱部材１５により所定の間隔をおいて一体に連結されて部品ユニット２４を構成する。この場合、ランプソケット１０が横向きで小形反射鏡１１に近接配置され、インバータ１２が縦姿勢で小形反射鏡１１から離れて配置されている。放熱部材１５は略Ｕ字形をなし、一端の外側面にランプソケット１０の後端部が取付けられ、他端はインバータ１２の側部に沿って延出しインバータ１２の上端部を取付けている。放熱部材１５によってランプソケット１０とインバータ１２との間に間隔を形成することによって相互に熱影響を避けている。放熱部材１５の中間部が器具本体１に取付具例えばねじ１６により取付けられている。放熱部材１５は例えば鋼に塗装を施したもの、アルミ材などが使用される。このような構成において、ランプソケット１０とインバータ１２との位置関係は、部品ユニット２４を器具本体１に内蔵し、小形高輝度放電灯９を点灯した際に、インバータ１２の電子部品が許容温度を越えないように設定される。
【００１８】
つぎに既存の器具本体（５０）を利用してこの実施の形態の内部部品を取付ける取付け方法について説明する。まず、図４において、上蓋３を開いて、高輝度放電灯（５３）、ランプソケット（５２）、ソケット台（５１）、そして反射鏡（５４）を取り出す。その後、上蓋３に小形反射鏡１１を取付け、器具本体１に部品ユニット２４を取付け、ランプソケット１０に小形高輝度放電灯９を取付けて完了する。この状態が図１である。すなわち、器具本体１において、所定の高輝度放電灯（５３）等とこの発明にかかる小形高輝度放電灯９等の交換を実施した結果を示している。この結果、道路灯などの既設の照明柱等に設置された器具本体をそのまま利用して部品のみの交換できわめて容易に実現可能となる。
【図面の簡単な説明】
【００１９】
【図１】この発明の一実施の形態の断面図である。
【図２】点灯ユニットの側面図である。
【図３】所定の高輝度放電灯と小形の高輝度放電灯を比較した側面図である。
【図４】従来例の断面図である。
【符号の説明】
【００２０】
１    器具本体
２    透光部  
７    密閉空間
９    小形高輝度放電灯    
１０  ランプソケット    
１１  小形反射鏡  
１２  インバータ
１５  放熱部材
２４  部品ユニット
【図１】
2006236662.tif 000003
【図２】
2006236662.tif 000004
【図３】
2006236662.tif 000005
【図４】
2006236662.tif 000006